(57)【要約】【課題】積層して保持されたロールを抜き取る際に、簡単な動作で１個ずつ確実に抜き取ることが可能なロールホルダを提供する。【解決手段】保持具２０の各保持爪２５先端に対し、トイレットペーパＴは、その内周面が下方向（矢印Ａ）に移動しつつ接しているので、最下部に位置したトイレットペーパの上端が、保持爪２５の位置を通過する際に、保持爪２５は二段目のトイレットペーパの下端を捉え、前記バネ力発生部２３のバネ力によって拡径して、二段目のトイレットペーパＴを確実に保持する。【選択図】図５
2008068024.tif 000002
【特許請求の範囲】
【請求項１】
所定場所に固定される固定具と、
前記固定具から紐を介して垂下され、ロールの芯孔内に部分的に挿入されることにより当該ロールを保持する保持具と、を具備し、
前記保持具は、一方が前記紐の端に支持され、湾曲した形状となった支持部と、他方が前記ロールの芯孔の軸方向に沿って延び、前記ロールの芯孔の内径方向寸法に近い離間寸法を有して縮径自在な一対の舌片と、前記舌片に設けられ、外側に向けて突出する保持爪と、前記舌片のうち前記保持爪よりも他方側に位置した把持部と、を備え、
複数のロールの芯孔内に前記固定具および前記紐を順次挿通させて、最下部のロール端部を下側から前記保持爪で係止することにより、当該各ロールを積層した状態で保持し、前記把持部を内側に押し込んで前記各舌片間を縮めることにより、前記各保持爪先端間の寸法をロールの芯孔の内径寸法未満にして、前記最下部のロールを保持具から抜き取る
ことを特徴とするロールホルダ。
【請求項２】
請求項１記載のロールホルダにおいて、
前記固定具は、前記保持具内に着脱可能に収容される
ことを特徴とするロールホルダ。
【発明の詳細な説明】
【技術分野】
【０００１】
この発明は、トイレ等において予備のトイレットペーパを備え付けておくためのトイレットペーパに用いて好適なロールホルダに関する。
【背景技術】
【０００２】
一般的に、ロールホルダの例としてトイレットペーパを保持するトイレットペーパホルダがある。このホルダは、ロール状のトイレットペーパが一個だけ取り付けられる形状であり、使い切ると別のトイレットペーパを所定の位置にセットする必要がある。家庭や、職場などでは、数個の予備のトイレットペーパを準備しておく必要があるが、通常は汚れないように便器から離れた収納棚などに置かれていることが多い。一方、不特定多数の人が使用する公衆トイレでは、消費量が多いことからトイレットペーパの予備ロールが棚の上等に置かれており、トイレの美観を損ない、さらに盗難に遭いやすいといった問題があった。
【０００３】
これらの問題を解決する特許文献１〜３がある。
特許文献１には、棒体の上部から下端にかけて、所定の間隔で回動可能な、または力が加わると撓みを発生するストッパが設けられたトイレットペーパ保持具が開示されている。この保持器では、ストッパ上に複数個のトイレットペーパが載置され、１個ずつトイレットペーパを下方に引き出して使用される。
【０００４】
特許文献２には、鉛直方向に吊り下げ可能な鎖と、この鎖の下端に中央部が回動中心となる固定される円柱形のストッパと、を備えたトイレットペーパホルダが開示されている。このホルダは、ストッパを水平に保つことで、トイレットペーパを支持し、さらにこのトイレットペーパの上に複数個のトイレットペーパを積層して保持する。そして、このホルダは、ストッパをトイレットペーパの芯穴と平行となるように立てた状態で、このストッパをトイレットペーパの芯穴を通過させることにより、トイレットペーパを抜き取るようになっている。
【０００５】
特許文献３には、バネを利用したストッパで最下部のトイレットペーパを支持し、その支持されたトイレットペーパの上に複数個のトイレットペーパを積層し、片手でトイレットペーパを下方へ引っ張ることで、１個ずつ取り外せる取り替え用トイレットペーパ備え付け器が開示されている。
【０００６】
【特許文献１】特開平１０−３２８０７０号公報
【特許文献２】実用登録３０２９９７３号公報
【特許文献３】実開平７−１１９９４号公報
【発明の開示】
【発明が解決しようとする課題】
【０００７】
しかしながら、特許文献１の保持具では、回動式ストッパであっても、撓み式ストッパであっても、最下段のトイレットペーパを下方へ抜き取った後で、その上段部に保持されたトイレットペーパを１個ずつ順次下方の段へ繰り下げておく必要があり、使用者にとって不便で、使い勝手が悪い。
【０００８】
特許文献２のホルダでは、最下部のトイレットペーパを片手で持ち上げた状態で他方の手でストッパをトイレットペーパの芯穴と平行となるように立てた状態にして、最下部のトイレットペーパを抜き取るようにしている。このため、両手で操作する必要があり、使用者にとって使い勝手が悪い。
【０００９】
特許文献３の備え付け器では、片手でトイレットペーパを下方へ引っ張ることで、１個ずつ取り外せるものの、取り外す際に、最下部のトイレットペーパ上に複数個のトイレットペーパが積まれている場合には、この重量が抜き取るトイレットペーパの上にあるロールに加わり、全てのトイレットペーパが一気に落下してしまう可能性がある。
また、この備え付け器では、使用者が人為的に上から加える加重の力のみでこのストッパを内側に向けて縮めてトイレットペーパを抜き取るようになっているため、トイレットペーパを支えるばねの張力は相当必要とされ、抜き取る際にもかなりの力が必要になると思われる。そこに、トイレットペーパのソフト化が図られている昨今、抜き取る際に当該トイレットペーパを強く握ると、外形の変形だけでなく芯孔に変形を起こさせる可能性がある。
【００１０】
本発明は、こうした点を鑑みてなされたもので、その目的は積層して保持されたロールを抜き取る際に、簡単な動作で１個ずつ確実に抜き取ることが可能なロールホルダを提供することにある。
【課題を解決するための手段】
【００１１】
本発明が採用するロールホルダの構成は、所定場所に固定される固定具と、前記固定具から紐を介して垂下され、ロールの芯孔内に部分的に挿入されることにより当該ロールを保持する保持具と、を具備し、前記保持具は、一方が前記紐の端に支持され、湾曲した形状となった支持部と、他方が前記ロールの芯孔の軸方向に沿って延び、前記ロールの芯孔の内径方向寸法に近い離間寸法を有して縮径自在な一対の舌片と、前記舌片に設けられ、外側に向けて突出する保持爪と、前記舌片のうち前記保持爪よりも他方側に位置した把持部と、を備え、複数のロールの芯孔内に前記固定具および前記紐を順次挿通させて、最下部のロール端部を下側から前記保持爪で係止することにより、当該各ロールを積層した状態で保持し、前記把持部を内側に押し込んで前記各舌片間を縮めることにより、前記各保持爪先端間の寸法をロールの芯孔の内径寸法未満にして、前記最下部のロールを保持具から抜き取ることを特徴としている。
【００１２】
上記構成において、前記固定具は、前記保持具内に着脱可能に収容されることが好ましい。
【発明の効果】
【００１３】
本発明では、最下部に位置したロールの芯孔内に挿入される保持具の一方は、湾曲した形状となり、さらに各舌片間の離間寸法は、ロールの芯孔の内径方向寸法に近い寸法となる。このため、ロールを抜き取る際には、最下部の上に位置したロールは、この保持具の湾曲した形状およびロールの径方向寸法に近い離間寸法を有する一対の舌片に接触しつつ落下するため、保持具の湾曲した形状によって芯合わせが行われると共に、ロールと舌片或いは保持爪との間に発生する摩擦力によりロールの降下速度が鈍り、保持爪或いは保持爪がロール間の隙間を捉え易くなり、拡径しようとする保持爪が次のロール端部を確実に保持することができる。
【００１４】
＜第１実施形態＞
以下、本発明による第１実施形態によるロールホルダとしてトイレットペーパホルダを例示して説明する。
【００１５】
＜構成＞
図１を参照しつつ、第１実施形態における各部の構成を説明する。
トイレットペーパホルダ１は、固定具１０と、保持具２０と、前記固定具１０と前記保持具２０とをつなぐ紐３０とからなる。このトイレットペーパホルダ１は、図２に示すように、未使用時には、保持具２０内に固定具１０がはめ込まれて、一体となった形となる。
【００１６】
前記固定具１０は、図１に示すように、平板状で略長円形となり、長手方向の一方には、壁に固定された金具（図示せず）に懸架するための取付孔１１が穿設され、他方は紐３０が連結される連結部１２となる。
【００１７】
保持具２０は、その外形が前記固定具１０を覆うような略長円形状の環状に形成されている。長手方向の一方が円弧状の先端湾曲部２１となり、他方も円弧状の起端湾曲部２２となっている。前記先端湾曲部２１の中心が紐３０と連結する連結部２７となる。湾曲部２１，２２両腕は舌片２４，２４によって連結されて環状の形状となる。また、各舌片２４のうち湾曲部２１，２２側に位置して肉厚が薄く形成された部分がバネ力発生部２３となる。
【００１８】
また、舌片２４の途中には外側に向けて突出する保持爪２５が形成され、この保持爪２５は先端に向けて暫時厚さが薄くなるテーパ状となって、トイレットペーパを抜き取る際に、次のトイレットペーパとの間に入り込み易くする。
【００１９】
さらに、舌片２４のうち保持爪２５よりも他側に位置した部分が把持部２６となり、この把持部２６は、使用者がトイレットペーパを抜き取る際に、使用者が指で舌片２４を縮径させる部位となる。ここで、把持部２６間を矢印ａ方向に縮めると、各バネ力発生部２３がそのバネ力に抗して変形し、縮めを解除すると前記バネ力によって変形を復元して把持部２６（舌片２４）を元の位置に戻す。
【００２０】
ここで、各舌片２４間の離間寸法Ｌは、トイレットペーパＴの芯孔の内径Ｒよりも若干小さい寸法となり（図２、参照）、把持部２６を指で縮めた場合の保持爪２５先端間の寸法Ｌ０は、トイレットペーパＴの芯孔の内径Ｒ未満となる寸法まで縮径可能となる（図３、参照）。
【００２１】
＜使用方法＞
ここで、第１実施形態によるトイレットペーパホルダ１の使用方法について説明する。
トイレットペーパを保持する際には、使用者が、保持具２０から固定具１０を分離させる。或いは既に、使用している場合には、金具から固定具１０の取付孔１１を外す。そして、使用者は、固定具１０を複数個のトイレットペーパＴの芯孔に順次通す。そして、固定具１０の取付孔１１を金具に掛けることによって、図４に示すように、複数（例えば、６個）のトイレットペーパＴがトイレットペーパホルダ１に保持される。つまり、各保持爪２５が最下部のトイレットペーパＴの端部を係止して６個のトイレットペーパＴを積層した状態で保持する。また、紐３０に各トイレットペーパＴに通っているため、各トイレットペーパＴの抜け止めが図られている。
【００２２】
次に、最下部位置したトイレットペーパＴを抜き取る際の動作について、図５を参照しつつ説明する。
使用者が指で各把持部２６を縮め、保持爪２５先端間の寸法Ｌ０が、トイレットペーパＴの芯孔の内径Ｒ未満となる寸法まで縮径させる（図５（ａ）参照）。これにより、トイレットペーパＴは、その自重によって矢印Ａ方向に下降する。この際、最下部のトイレットペーパを手のひらで受け止める（図５（ｂ）参照）。最下部のトイレットペーパの上側に位置した（二段目の）トイレットペーパは、このトイレットペーパ端部が前記保持爪２５の位置まで降下してきたときに、前記バネ力発生部２３のバネ力により、前記各保持爪２５が拡径する方向（外側）に開く。これにより、前記各保持爪２５がトイレットペーパ端部を保持して、当該トイレットペーパの降下を停止する（図５（ｃ）、参照）。
このように、本実施形態によるトイレットペーパホルダ１では、トイレットペーパＴを抜き取る際には、使用者が片手で簡単に抜き取ることが可能となる。
【００２３】
さらに、図３を参照しつつ補足説明する。なお、便宜上、最下部に位置するトイレットペーパをＴ１、二段目に位置するトイレットペーパをＴ２とする。
保持具２０の挿入側は円弧状の先端湾曲部２１となり、各舌片２４間の離間寸法Ｌは、トイレットペーパの内径Ｒよりわずかに小さな寸法となっている。
まず、把持部２６を縮めて、トイレットペーパＴ１が落下を開始すると、落下するトイレットペーパＴ１によって把持部２６から指が外れ、保持爪２５には径方向外側に拡径しようとする力がバネ力発生部２３によって発生する。このため、保持爪２５先端とトイレットペーパＴ１の内周面との間には摩擦が生じ、トイレットペーパＴ１が勢いよく落下するのを規制する。
【００２４】
また、二段目のトイレットペーパＴ２は、保持具２０の先端湾曲部２１が挿入されていない場合、つまり最下部のトイレットペーパＴ１が保持爪２５によって保持されている場合には、この二段目のトイレットペーパＴ２は、紐３０が芯孔内を移動する範囲で移動可能となっているため、二段目のトイレットペーパＴ２は最下部のトイレットペーパＴ１とは揃って積層されていないのが普通である。
【００２５】
そこで、最下部のトイレットペーパＴ１の下降に伴って、二段目のトイレットペーパＴ２が保持具２０の先端湾曲部２１に達すると、先端湾曲部２１によってトイレットペーパＴ２が誘導され、保持具２０で保持される最下部に位置したトイレットペーパＴ１の位置に揃えられる。さらに、各舌片２４間の離間寸法Ｌは、トイレットペーパＴ２の内径Ｒよりわずかに小さな寸法となっているため、下降するトイレットペーパＴ２はその内壁が、前記先端湾曲部２１或いは各舌片２４に接触して摩擦が発生する。この摩擦と、拡径しようとする保持爪２５先端とトイレットペーパＴ２の内周面との間に発生する摩擦とを合わせて、トイレットペーパＴ２の下降速度の低減を図る。
【００２６】
一方、保持具２０の各保持爪２５先端に対し、トイレットペーパＴは、その内周面が下方向（矢印Ａ）に移動しつつ接しているので、最下部に位置したトイレットペーパＴ１の上端が、保持爪２５の位置を通過する際に、保持爪２５は二段目のトイレットペーパＴ２の下端をとらえ、前記バネ力発生部２３のバネ力によって拡径して、二段目のトイレットペーパＴ２を確実に保持する。
【００２７】
＜効果＞
本実施形態においては、保持具２０の各保持爪２５によって保持されるトイレットペーパＴを抜き取る際、トイレットペーパＴの内周面と保持具２０とを積極的に接触させて摩擦を発生させることにより、トイレットペーパＴの自重による落下速度を低減させる。そして、拡径しようとする保持爪２５が、最下部のトイレットペーパＴ１と二段目のトイレットペーパＴ２との間の隙間を捉え易くして、この隙間を捉えて拡径した保持爪２５が、二段目のトイレットペーパＴ２を確実に保持する。この結果、使用者は簡単な動作で、トイレットペーパＴを１個ずつ確実に抜き取ることができる。
【００２８】
また、本実施形態では、保持具２０に固定具１０を嵌め込んで一体になるため、未使用時にはコンパクトに収納でき、さらに、保持具２０のバネ力発生部２３等の保護を図ることができる。
さらに、特許文献３では、トイレットペーパを抜き取る際に、当該トイレットペーパを強く握ると、外形の変形だけでなく芯孔に変形を起こさせる可能性があったが、本実施形態では、トイレットペーパを握る必要がなくなるため、トイレットペーパの変形を防止することができる。
【００２９】
＜第２実施形態＞
次に、本発明による第２実施形態について説明する。本実施形態の特徴は、先端が半球状となった有蓋筒状の保持具とした点にある。なお、前述した第１実施形態と同一の構成要素に同一の符号を付し、その説明を省略するものとする。
【００３０】
以下、本発明の第２実施形態によるトイレットペーパホルダについて説明する。
この実施形態では、保持具４０について図６を参照しつつ説明する。
この保持具４０は、外形が半球状の先端湾曲部４１を有する有蓋円筒状となり、先端湾曲部４１の中心が紐３０と連結する連結部４２となる。この保持具４０の開口側には、当該保持具４０の軸線の中央部付近から開放端に向けて、一対の平行な切れ込み４３，４３を径方向に対向した二箇所に形成することにより、径方向に縮経自在な一対の舌片４４，４４を形成している。
さらに、前記各舌片４４には外側に向けて突出する保持爪４５が形成され、前記各舌片４４のうち保持爪４５よりも開口側の位置が把持部４６となる。
また、前記保持具４０の外径はトイレットペーパ（図は略）の芯孔の経方向寸法に近い離間距離を有し、保持爪４５の外側端間の距離はトイレットペーパの内径より大とする。
【００３１】
このように構成される保持具４０であっても、第１実施形態の保持具２０と同様に、保持爪４５によって複数個のトイレットペーパを保持し、この保持具４０から抜き取る場合には、前記把持部４６を矢印ｂ方向に押圧して舌片４４の離間寸法を縮め、保持爪４５の先端間が芯孔の径寸法よりも小さくする。これにより、トイレットペーパが落下を始める。しかし、保持具４０は落下するトイレットペーパと接触することにより、摩擦を発生させて落下速度を低下させ、二段目にあったトイレットペーパの端部を保持爪２５で確実に捉え、二段目のトイレットペーパが一緒に抜き取れるのを規制する。
【００３２】
＜第３実施形態＞
以下、本発明の第３実施形態によるトイレットペーパホルダについて説明する。
この実施形態では、保持具５０について図７を参照しつつ説明する。
この保持具５０は、長球状の先端湾曲部５１を有する有蓋円筒状となり、先端湾曲部５１の中心が紐３０と連結する連結部５２となる。この保持具５０の開口側には、当該保持具５０の軸線の中央部付近から開放端に向けて、一対の平行な切れ込み５３，５３を径方向に対向した二箇所に形成することにより、径方向に縮経自在な一対の舌片５４，５４を形成している。さらに、前記各舌片５４には外側に向けて突出する保持爪５５が形成され、前記各舌片５４のうち保持爪５５よりも開口側の位置が把持部５６となる。
このように構成される保持具５０であっても、前述した保持具２０と同様の動作および効果を奏する。
【００３３】
＜変形例＞
前記各実施形態では、保持されるロールとしてトイレットペーパを例示して説明したが、本発明はこれに限らず、保持される対象はトイレットペーパに限るものではない。例えば、製造業の包装工程などで使用されるテープ類はロール状であるため、本発明によるホルダで保持することも可能となる。
【００３４】
また、保持具の形状は、前記各実施形態の形状に限定されるものではなく、例えば、第１実施形態の保持具２０において、下側の起端湾曲部２２を削除した「Ｕ」字状に形成してもよい。
【００３５】
さらに、第２，３実施形態では、舌片４４，５４に積極的にバネ力を与えるために、舌片４４，５４の起端側に肉厚を薄くした脆弱部を形成してもよい。
【００３６】
第１実施形態では、トイレットペーパを６個保持した場合を例示したが、紐３０の長さを調整することによって、保持されるトイレットペーパの個数を変えることも可能である。また、紐３０の調整は、設置場所における使用勝手、或いはデザイン性から見て調整してもよい。
【図面の簡単な説明】
【００３７】
【図１】第１実施形態によるトイレットペーパホルダの全体構成を示す図である。
【図２】第１実施形態による固定具が保持具に収容された状態を示す図である。
【図３】保持具からトイレットペーパホルダを抜き取る際の状態を示す図である。
【図４】トイレットペーパホルダにトイレットペーパを保持した状態を示す図である。
【図５】保持具からトイレットペーパホルダを抜き取る手順を示す図である。
【図６】第２実施形態による保持具を示す図である。
【図７】第３実施形態による保持具を示す図である。
【符号の説明】
【００３８】
１…トイレットペーパホルダ（ロールホルダ）、１０…固定具、１１…取付孔、１２，２７，４２，５２…連結部、２０，４０，５０…保持具、２１，４１，５１…先端湾曲部、２２…起端湾曲部、２３…バネ力発生部、２４，４４，５４…舌片、２５，４５，５５…保持爪、２６，４６，５６…把持部、３０…紐、４３，５３…切り込み。
【図１】
2008068024.tif 000003
【図２】
2008068024.tif 000004
【図３】
2008068024.tif 000005
【図４】
2008068024.tif 000006
【図５】
2008068024.tif 000007
【図６】
2008068024.tif 000008
【図７】
2008068024.tif 000009